(57)【要約】【課題】テレビ放送の視聴時において、視聴距離に応じて音声情報を字幕により補完することができる放送受信装置を提供することを目的とする。【解決手段】モード設定によりテレビ映像の字幕が表示される表示部２を備えた放送受信装置１において、前記表示部２と使用者との距離である視聴距離を測定する視聴距離測定部４と、前記視聴距離が所定距離より遠い場合に字幕を表示させるモード設定を行う字幕モード設定部１０と、を備えている。【選択図】図２
2012060300.tif 000002
【特許請求の範囲】
【請求項１】
モード設定によりテレビ映像の字幕が表示される表示部を備えた放送受信装置であって、
前記表示部と使用者との距離を測定する視聴距離測定部と、
前記距離が所定距離より遠い場合に字幕を表示させるモード設定を行う字幕モード設定部と、を備えていることを特徴とする放送受信装置。
【請求項２】
前記距離が前記所定距離より遠い状態あるいは近い状態に所定時間以上継続して存在している安定状態か否かを判定する安定状態判定部を更に備え、
前記字幕モード設定部は、前記安定状態である場合に、字幕を表示させるか否かのモード設定を行うことを特徴とする請求項１に記載の放送受信装置。
【請求項３】
前記使用者からの入力を受付ける入力部を更に備え、
該入力部より、字幕を表示させる字幕表示モードが設定されると、前記字幕モード設定部は、字幕を表示させるか否かのモード設定を行わないことを特徴とする請求項１又は２に記載の放送受信装置。
【請求項４】
イヤホンが接続される接続端子を更に備え、
該接続端子に前記イヤホンが接続されると、前記字幕モード設定部は、字幕を表示させるか否かのモード設定を行わないことを特徴とする請求項１乃至３のいずれか１項に記載の放送受信装置。
【発明の詳細な説明】
【技術分野】
【０００１】
本発明は、放送受信装置に関する。より詳細には、字幕を表示させることができる放送受信装置に関する。
【背景技術】
【０００２】
現在、主に携帯電話等の携帯機器を受信対象とする地上デジタルテレビ放送（以下、ワンセグ）のサービスが開始され、ワンセグを受信可能な携帯電話などが製品化されている。この地上デジタルテレビ放送には、映像と音声の他、字幕放送も提供されている。
このワンセグサービスでの視聴は、音声を大きくすることによってテレビ音声による周囲への迷惑を配慮する場合や、音声を大きくすることによって消費電力が増加し電池消耗を懸念する場合等に、音声を小さく設定して視聴することになる。このような場合は、放送音声が聞こえ難くなることがあった。
【０００３】
放送音声が聞こえ難い場合に字幕を表示させて音声内容を補完する技術として、例えば、特許文献１に係る携帯端末が提案されている。特許文献１の携帯端末は、携帯端末の周囲の騒音や携帯端末へのイヤホン挿入の有無などの諸条件に応じて字幕を表示させるか否かを判断して制御する発明が開示されている。
【０００４】
また、放送音声の聞こえ難さは、視聴者と放送受信装置との間の距離（以下、視聴距離）に関係するが視聴距離との関係で放送受信装置を制御する技術として特許文献２に係る受像機が提案されている。
特許文献２に係る受像機は、受像機の上部から超音波発信装置より受像機の前方に向けて超音波信号を発し、視聴者からの反射波を検出するとともに視聴距離を算出し、視聴距離に応じて音量を調整する発明が開示されている。
【先行技術文献】
【特許文献】
【０００５】
【特許文献１】特開２００８−３００９０２
【特許文献２】特開平５−２０３７４２
【発明の概要】
【発明が解決しようとする課題】
【０００６】
しかしながら、特許文献１の携帯端末では、静かで騒音レベルが低いと、音声が聞き取り難い視聴距離になっても字幕表示がされず音声内容を補完することができなかった。
また、特許文献２の受像機では、視聴距離に応じて音量が調整されることにより、音声内容を補完することができるようになるものの、音声を大きくできない事情（周囲への迷惑等）がある場合に不向きであった。
【０００７】
本発明は、上述の如き実情に鑑みてなされたものであり、テレビ放送の視聴において、視聴距離に応じて音声情報を字幕により補完することができる放送受信装置を提供することを目的とする。
【課題を解決するための手段】
【０００８】
上記課題を解決するために、本発明の第１の技術手段は、モード設定によりテレビ映像の字幕が表示される表示部を備えた放送受信装置において、前記表示部と使用者との距離を測定する視聴距離測定部と、前記距離が所定距離より遠い場合に字幕を表示させるモード設定を行う字幕モード設定部と、を備えていることを特徴としたものである。
【０００９】
第２の技術手段は、第１の技術手段において、前記距離が前記所定距離より遠い状態あるいは近い状態に所定時間以上継続して存在している安定状態か否かを判定する安定状態判定部を更に備え、前記字幕モード設定部は、前記安定状態である場合に、字幕を表示させるか否かのモード設定を行うことを特徴としたものである。
【００１０】
第３の技術手段は、第１又は２の技術手段において、前記使用者からの入力を受付ける入力部を更に備え、該入力部より、字幕表示させる字幕表示モードが設定されると、前記字幕モード設定部は、字幕を表示させるか否かのモード設定を行わないことを特徴としたものである。
【００１１】
第４の技術手段は、第１〜３のいずれか１の技術手段において、イヤホンが接続される接続端子を更に備え、該イヤホンが前記接続端子に接続されると、前記字幕モード設定部は、字幕を表示させるか否かのモード設定を行わないことを特徴としたものである。
【発明の効果】
【００１２】
本発明によれば、表示部と使用者との距離が所定距離より遠い場合に字幕を表示させるモード設定が行われるため、表示部と使用者との距離に応じて字幕により音声情報を補完することができる。
【図面の簡単な説明】
【００１３】
【図１】本発明の一実施形態による携帯電話機の外観構成例を示す図である。
【図２】図１に示す携帯電話機の一構成を示す機能ブロック図である。
【図３】視聴距離の存在している範囲を模式的に示す図である。
【図４】字幕設定パラメータテーブルを示す図である。
【図５】視聴距離に応じた字幕表示処理フローを示すフローチャート図である。
【発明を実施するための形態】
【００１４】
図１から図４を参照して、本発明の実施形態に係る放送受信装置である携帯電話機１を説明する。図１は、本発明の一実施形態による携帯電話機の外観構成例を示す図である。図２は、図１に示す携帯電話機の一構成を示す機能ブロック図である。図３は、視聴距離の存在している範囲を模式的に示す図である。図４は、字幕設定パラメータテーブルを示す図である。
【００１５】
図１に示すように、携帯電話機１の外観には、表示部２と、入力部３と、視聴距離測定部４と、を有している。そして図２に示すように、携帯電話機１は、図１で説明したものの他、放送受信部５、通信機能部６、字幕モード設定部１０、安定状態判定部１１、記憶部１２、スピーカ１４、マイク１５、接続端子１６と、制御部１７と、を有している。
【００１６】
放送受信部５は、放送用アンテナ１８を介して緊急警報放送を含むＴＶ放送信号を受信し、トランスポートストリーム（以下、ＴＳ）の復調および、ＴＳから映像、字幕、データ放送音声、ＰＳＩ（番組特定情報）／ＳＩ（番組配列情報）、緊急警報放送起動情報等の各メディア情報をデコードする機能を有する。
通信機能部６は、通信用アンテナ２０を介して、電話の通話、メール、インターネットやＴＶのデータ放送での通信機能利用等の通信機能を制御・実行する。
【００１７】
表示部２は、映像、字幕、データ放送を表示する。本実施形態において表示部２は、例えば、映像が表示される映像表示領域２ａと、字幕が表示される字幕表示領域２ｂと、データ放送が表示されるデータ放送表示領域２ｃとを有し、例えば、液晶パネルや有機ＥＬパネルで構成される。
【００１８】
視聴距離測定部４は、表示部２の上部近傍に配され、表示部２と視聴者（操作者）との距離である視聴距離ｄを測定する。視聴距離は、例えば、超音波を発射し、反射波が帰ってくるまでの時間Ｔ［ｓ］を測定することにより距離を計測する事ができる。
具体的には、超音波の速度をＶ［ｍ／ｓ］とすると、超音波の発信源から視聴者までの距離すなわち視聴距離ｄは、ｄ＝（Ｔ・Ｖ）／２で計算することができる。
【００１９】
字幕モード設定部１０は、視聴距離測定部４が取得した視聴距離ｄが、所定の設定距離（所定距離）Ｌより遠い場合に字幕を表示させるモード設定を行う。
図３を参照しながら設定距離Ｌより遠くなったか否かの判断について説明する。図３（Ａ）は、視聴距離ｄが設定距離Ｌより近い場合を示し（以下、視聴距離ｄが設定距離Ｌまでの近い範囲を“範囲Ａ”と定義する）、図３（Ｂ）は、視聴距離ｄが所定の距離Ｌより遠い場合を示している（以下、視聴距離ｄが設定距離Ｌより遠い範囲を“範囲Ｂ”と定義する）。
【００２０】
字幕モード設定部１０は、視聴距離測定部４が測定した視聴距離ｄを取得し、視聴距離ｄが設定距離Ｌ以下の場合、“範囲Ａ”と判定し、視聴距離が近いと判断する。また、字幕モード設定部１０は、視聴距離ｄが設定距離Ｌより大きい場合、“範囲Ｂ”と判定し、視聴距離ｄが遠いと判断する。範囲の判定結果は、例えば、記憶部１２に記憶される。
【００２１】
字幕モード設定部１０は、視聴距離ｄが“範囲Ａ”である場合、字幕の表示モードを、字幕を表示させない字幕ＯＦＦに設定し、視聴距離ｄが“範囲Ｂ”である場合、字幕の表示モードを、字幕を表示させる字幕ＯＮに設定する。
なお、字幕モード設定部１０は、操作者によって字幕ＯＮに設定されている場合および、後述する接続端子１６にイヤホンが接続されている場合は、視聴距離ｄに応じた字幕の表示・非表示処理を行わない。
【００２２】
安定状態判定部１１は、視聴距離ｄが所定の範囲内に所定の設定時間（所定時間）以上継続して存在している状態（以下、安定状態と定義する）か否かを判定する。安定状態判定部１１は、字幕モード設定部１０によって視聴距離ｄの範囲判定がされると、視聴距離ｄの範囲が変化したか否かを判断する。
【００２３】
視聴距離ｄの範囲変化が発生した場合は、安定状態か否かを判断するための時間の測定を開始する。なお、前回の範囲の判定結果がない場合は、範囲変化があったものとして扱う。範囲変化無しの場合は、その範囲になってから設定時間が経過したか否かを判断する。安定状態判定部１１は、設定時間が経過している場合、視聴距離ｄが安定状態であると判定する。
【００２４】
前述した字幕モード設定部１０は、安定状態判定部１１が安定状態であると判定した際に、字幕モードを字幕ＯＮ又は字幕ＯＦＦに設定することが好ましい。これにより、視聴距離ｄが頻繁に変化することにより字幕の表示・非表示が繰り返され、表示画面が見え難くなることを防止することができる。
【００２５】
記憶部１２は、ＲＯＭやＲＡＭといったメモリで構成されている。ＲＯＭは、フラッシュＥＥＰＲＯＭを含み、各種のデータやプログラム等を記憶する。例えば、記憶部１２には、携帯電話機１として使用するための通話先アドレス情報、放送のチャンネル情報、放送視聴時の各種設定登録の他、字幕表示を行うか否かを判断するためのパラメータ情報を格納する字幕設定パラメータテーブル２１を記憶する。
【００２６】
図４を参照して、字幕設定の処理に用いられる字幕設定パラメータテーブルを説明する。字幕設定パラメータテーブル２１は、記憶部１２上に作成されるメモリテーブルであり、設定距離Ｌと、ユーザ制御設定モードと、字幕制御設定モードと、設定時間と、視聴距離範囲と、を格納して保持する。
【００２７】
字幕設定パラメータテーブル２１は、例えば、図で示すような値が設定される。なお、この初期値は、入力部３によって変更することができる。
設定距離Ｌは、“範囲Ａ”と“範囲Ｂ”の境界を定める値である。この設定距離Ｌの初期値は、例えば、成人男性の腕の平均的な長さとした。
【００２８】
ユーザ字幕設定モードは、操作者により設定される字幕設定モードである。ユーザ字幕設定モードは、表示部２に字幕が表示されるモードである字幕ＯＮと字幕が表示されないモードである字幕ＯＦＦが設定される。ユーザ字幕モードは、初期値として字幕ＯＦＦが設定されている。
【００２９】
字幕制御設定モードは、字幕モード設定部１０によって設定される字幕設定モードであり、字幕ＯＮと字幕ＯＦＦが設定される。字幕制御設定モードは、初期値として字幕ＯＦＦが設定される。表示部２には、字幕制御設定モードに従って字幕が表示等される。
【００３０】
設定時間は、字幕モード設定部１０が判定した範囲を、安定状態判定部１１が安定状態か否かを判断するための時間である。ここでは、例えば、５秒を例示した。
視聴距離範囲は、視聴距離判定部４による視聴距離ｄが含まれる範囲の判定結果が格納される。例えば、Ａ又はＢが格納される。
【００３１】
入力部３は、例えば、文字キーと、選択キー、確定キー等を有している。操作者（使用者）は、入力部３の操作により、表示部２にテレビ映像を表示、字幕の表示・非表示等を行うことができる。なお、入力部３は、タッチパネルを使用しても良い。
スピーカ１４は、音声を出力したり、通話時の受話を行うものである。マイク１５は、通話時の送話を行うものである。接続端子１６は、例えば、イヤホンを接続することができ、イヤホンを通じてテレビ音声を聞くことができる。
【００３２】
制御部１７は、携帯電話機１の各部を総括的に制御するもので、ＣＰＵ１７ａを有している。ＣＰＵ１７ａは、携帯電話機１の本体を総括的に制御する制御手段として機能する中央処理装置である。ＣＰＵ１７ａは、ＲＯＭに格納されたプログラムをＲＡＭに読み込ませて実行させる一種のコンピュータである。
【００３３】
制御部１７は、操作者の入力部３からの指示に基づき放送受信部５を起動させデジタルテレビ放送信号を受信するとともにテレビ映像、テレビ音声又は／及び字幕を表示部２に表示させる。このとき、制御部１７は、字幕設定パラメータテーブル２１の字幕制御設定モードに基づき、字幕を表示部２に表示させる。
【００３４】
図５を参照して、視聴距離に応じて字幕を表示させるフローを説明する。図５は、視聴距離に応じた字幕表示処理フローを示すフローチャート図である。
テレビ視聴を開始すると、字幕モード設定部１０は、ユーザ設定字幕モードが字幕ＯＮか否かを判断し（ステップＳ１）、字幕ＯＮの場合、字幕モード設定部１０が字幕設定パラメータテーブル２１の字幕制御設定モードを字幕ＯＮに設定し（ステップＳ２）、再びステップＳ１へ戻る。
【００３５】
ステップＳ１において、字幕モード設定部１０は、ユーザ設定モードが字幕ＯＦＦである場合、イヤホンが接続端子１６に接続されているかを判断し（ステップＳ３）、接続されている場合、イヤホン接続時は字幕表示する必要がないので、字幕制御設定モードを字幕ＯＦＦに設定し（ステップＳ３１）、ステップＳ１へ再び戻る。
【００３６】
ステップＳ３において、イヤホンが接続端子１６に接続されていない場合、視聴距離測定部４によって視聴距離ｄを測定し（ステップＳ４）、字幕モード設定部１０が視聴距離ｄにより“範囲Ａ”であるか“範囲Ｂ”であるかを判定する（ステップＳ５）。
【００３７】
次に、安定状態判定部１１が前回の測定の範囲と同じであるかどうかを判断し（ステップＳ６）、範囲の変化がある場合、時間の測定を開始するとともに判定結果を字幕設定パラメータテーブル２１の視聴距離範囲に格納し（ステップＳ７）、再び、ステップＳ１へ戻る。
【００３８】
ステップＳ６において、範囲の変化が無い場合は、所定の設定時間が経過したか否かを判断し（ステップＳ８）、所定の設定時間が経過した場合、ステップＳ９へ進み、所定の設定時間が経過していない場合、再び、ステップＳ１へ戻る。
【００３９】
ステップＳ８において、所定の設定時間が経過した場合、視聴距離ｄが範囲Ａであるか否かを判定し（ステップＳ９）、視聴距離ｄが範囲Ａである場合、字幕モード設定部１０は、字幕設定パラメータテーブル２１の字幕制御設定モードを字幕ＯＦＦに設定し（ステップＳ１０）、再びステップＳ１へ戻る。
【００４０】
ステップＳ９において、視聴距離ｄが範囲Ａでない場合、字幕モード設定部１０は、字幕設定パラメータテーブル２１の字幕制御設定モードを字幕ＯＮに設定し（ステップＳ１１）、再びステップＳ１へ戻る。
【００４１】
ステップＳ７、ステップＳ８、ステップＳ１０、ステップＳ１１からステップＳ１へ戻った際に、操作者によりユーザ字幕設定モードが字幕ＯＮに設定されていた場合、ステップＳ２へ進み、字幕モード設定部１０は、字幕制御設定モードを字幕ＯＮに設定する。そして、字幕モード設定部１０の前述の処理に係らず、表示部２に字幕が表示され、字幕モード設定部１０の視聴距離ｄに応じて字幕を表示させる処理が行わないようになる。接続端子１６にイヤホンが接続された場合も、同様に、字幕モード設定部１０の視聴距離ｄに応じて字幕を表示させる処理が行わないようになる。
【００４２】
本発明によれば、テレビ放送の視聴時に、視聴距離ｄが遠くなると自動的に字幕が表示されることにより、音声が聞き取り難くなった時でも、音声情報を補完することができる。
また、本発明は、視聴距離ｄが所定の範囲内に所定の設定時間以上継続して存在している安定状態であるか否かを判定し、安定状態である場合に字幕を表示させている。これにより、使用者が移動を繰り返している場合や体を一時的に反らせてまた戻す場合など、視聴距離ｄが頻繁に変わる場合などに頻繁に画面の字幕表示、非表示が切り替わる弊害を防止することができる。
【００４３】
なお、安定状態判定部１１は、必須の構成ではなく、その機能を省略しても良い。この場合は、図２における安定状態判定部１１、図５におけるステップＳ６〜ステップＳ８の処理が省略され、ステップＳ５の処理の後、ステップＳ９の処理を行う。
また、イヤホンが接続端子１６に接続されているか否かによって行う処理（ステップＳ３）も省力しても良い。この場合、ステップＳ１の処理の後、ステップＳ４の処理を行う。
【００４４】
また、表示部２を構成する液晶には、ベールビュー液晶を採用しても良い。ベールビュー液晶を採用すると、横からテレビ映像を視聴できなくなる。すなわち、テレビ映像を視聴するためには、使用者が常に表示部２の正面に位置していなくてはならなくなる。これにより、視聴距離測定部４が使用者と携帯電話機１の距離を正確に測定することができ、字幕がより適切に表示される。
【００４５】
また、上述した実施形態における携帯電話機（放送受信装置）の一部、又は全部を典型的には集積回路であるＬＳＩ（Large Scale Integration）として実施しても良い。携帯電話機１の各機能ブロックは、個別にチップ化しても良いし、一部、又は全部を集積してチップ化しても良い。また、集積回路化の手法は、ＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【符号の説明】
【００４６】
１…携帯電話機（放送受信装置）、２…表示部、３…入力部、４…視聴距離測定部、５…放送受信部、６…通信機能部、１０…字幕モード設定部、１１…安定状態判定部、１２…記憶部、１４…スピーカ、１５…マイク、１６…接続端子、１７…制御部、１７ａ…ＣＰＵ、２１…字幕設定パラメータテーブル、ｄ…視聴距離、Ｌ…設定距離（所定距離）。
【図１】
2012060300.tif 000003
【図２】
2012060300.tif 000004
【図３】
2012060300.tif 000005
【図４】
2012060300.tif 000006
【図５】
2012060300.tif 000007